(57)【要約】【課題】  使用済みの容器類を圧潰する時の減容度合いを向上させる空き容器類の処理装置を提供する。【解決手段】  空き容器類の処理装置１は、一方向に向けて凹凸断面形状をなす受け面１１を有する基台１０と、受け面１１の凹凸断面形状と雄雌関係となる凹凸断面形状をなす押圧面２１を有し、かつ基台１０に一端側を軸支した押圧部材２０と、押圧部材２０を基台１０の押圧面２１に向けて回動させるべく押圧部材２０に連結した押圧用アーム３０と、を備える。また、押圧用アーム３０は、押圧部材２０の他端側に、当該押圧部材２０の基台１０に対する回動方向と同じ方向に回動可能に連結し、押圧部材２０に対する回動範囲を制限するべく押圧部材２０に係合する第一係合部３１と第二係合部３２を形成する。【選択図】  図１
2017164761.tif 000002
【特許請求の範囲】
【請求項１】
一方向に向けて凹凸断面形状をなす受け面を有する基台と、
前記受け面の凹凸断面形状と雄雌関係となる凹凸断面形状をなす押圧面を有し、かつ前記基台に一端側を軸支した押圧部材と、
前記押圧部材を基台の押圧面に向けて回動させるべく前記押圧部材に連結した押圧用アームと、
を備えたことを特徴とする空き容器類の処理装置。
【請求項２】
前記押圧用アームは、前記押圧部材の他端側に、当該押圧部材の前記基台に対する回動方向と同じ方向に回動可能に連結し、前記押圧部材に対する回動範囲を制限するべく前記押圧部材に係合する第一係合部と第二係合部を形成したことを特徴とする請求項１に記載の空き容器類の処理装置。
【請求項３】
前記押圧部材の押圧面に、空き容器類を穿孔するための突起部を形成したことを特徴とする請求項１又は２に記載の空き容器類の処理装置。
【請求項４】
前記受け面と前記押圧面は、前記押圧部材の回動方向と同じ方向に向けて凹凸断面形状をなしていることを特徴とする請求項１に記載の空き容器類の処理装置。
【請求項５】
前記受け面と前記押圧面は、前記押圧部材の回動方向に対して直交する方向に向けて凹凸断面形状をなしていることを特徴とする請求項１に記載の空き容器類の処理装置。
【発明の詳細な説明】
【技術分野】
【０００１】
本発明は、使用済みの空き缶、ペットボトル、スプレー缶などの空き容器類を、圧潰して廃棄するための空き容器類の処理装置を提供する技術に関する。
【背景技術】
【０００２】
使用済みの空き缶、ペットボトル、スプレー缶などの空き容器類は、再利用するために分別して回収するが、回収に際しては嵩張らないように圧潰して廃棄している。また、スプレー缶は孔を開けて残圧を抜いてから圧潰して廃棄している。なお、缶は、アルミやスチールなどの金属が用いられている。
【０００３】
従来では、特許文献１、特許文献２、特許文献３に示すように、使用済みの空き容器類を圧潰するための様々な装置が開発されている。
【０００４】
特許文献１記載の装置は、基板の一端付近に支軸を介して回転自在な押圧板を設け、基板と押圧板とで空缶を挟んで圧縮する空缶圧縮機である。この空缶圧縮機は、空缶に対する作用点を移動させるために、支軸位置を移動可能としている。つまり、この装置は作用点を移動させることで、梃子の原理により圧縮力を容易に高めることができるとされている。また、基板の上面と押圧板の下面の空缶との接触部付近に、空き缶の滑り出し防止及び極圧により押圧するための凸部を設けている。
【０００５】
特許文献２記載の装置は、特許文献１とほぼ同様に、基板と押圧板を一端側で軸支しており、足による踏み込み力を利用して押圧板を基板へ向け回転させて使用する処理装置である。また、この装置では、押圧板の少なくとも一方の側部に、スプレー缶用の穿孔用突起を設けている。
【０００６】
特許文献３記載の装置は、矩形状の基台の一端側に凹部による液溜部を形成した容器類の圧潰装置である。また、この装置は、支持板が基台の上面内側に重畳して載置され、前記圧潰板が前記支持版の上面内側に重畳して載置される。さらに、支持板と圧潰板とは、基台の前記液溜部側の側部に支軸を介して基台に対して回動自在に形成される。また、支持板には上方に向けて突出する穿孔用突起を形成する。
その作用は、基台上に置いた支持板に対して圧潰板を回動させて、支持板と圧潰板の間に使用済みの容器類を介在させる。その後、圧潰板を足で押圧することによって、前記容器類を圧潰する。この時、スプレー缶は、穿孔用突起にて穿孔されて残液を放出させてから圧潰される。他の容器類は圧潰される。圧潰した容器類から流れ出る残液は液溜部に貯留される。
【先行技術文献】
【特許文献】
【０００７】
【特許文献１】特開２０００-１６７６９５号公報
【特許文献２】特開２００２-６６７９３号公報
【特許文献３】特許第２９７３４００号公報
【発明の概要】
【発明が解決しようとする課題】
【０００８】
一般に、使用済みの容器類を処理する装置は、輸送効率向上等の観点から、処理後の容器が嵩張らないように殆ど隙間なく十分に圧潰することが望ましい。しかし、従来では例えば特許文献１、特許文献２、特許文献３のいずれにおいても、単に基版（基台）と押圧板の間で容器類を圧縮するので、例えば殆ど隙間がないほどに減容することは難しい。
【０００９】
本発明はこのような事情に鑑みてなされたものであって、使用済みの容器類を圧潰する時の減容度合いを向上させる空き容器類の処理装置を提供することを目的とする。
【課題を解決するための手段】
【００１０】
請求項１記載の発明は、一方向に向けて凹凸断面形状をなす受け面を有する基台と、  前記受け面の凹凸断面形状と雄雌関係となる凹凸断面形状をなす押圧面を有し、かつ前記基台に一端側を軸支した押圧部材と、  前記押圧部材を基台の押圧面に向けて回動させるべく前記押圧部材に連結した押圧用アームと、を備えたことを特徴としている。
【００１１】
請求項２記載の発明は、前記押圧用アームは、前記押圧部材の他端側に、当該押圧部材の前記基台に対する回動方向と同じ方向に回動可能に連結し、前記押圧部材に対する回動範囲を制限するべく前記押圧部材に係合する第一係合部と第二係合部を形成したことを特徴としている。
【００１２】
請求項３記載の発明は、前記押圧部材の押圧面に、空き容器類を穿孔するための突起部を形成したことを特徴としている。
【００１３】
請求項４記載の発明は、前記受け面と前記押圧面は、前記押圧部材の回動方向と同じ方向に向けて凹凸断面形状をなしていることを特徴としている。
【００１４】
請求項５記載の発明は、  前記受け面と前記押圧面は、前記押圧部材の回動方向に対して直交する方向に向けて凹凸断面形状をなしていることを特徴としている。
【発明の効果】
【００１５】
本発明によれば、処理される空き容器類を、基台の凹凸断面形状をなす受け面と、この受け面と雄雌関係にある押圧部材の凹凸断面形状をなす押圧面とで圧潰するので、空き容器類を例えば殆ど隙間がないほどに減容して十分に圧潰することができる。空き容器類を圧潰する際の減容度合いを著しく向上することができた。
【００１６】
また、押圧部材の回動支点が押圧部材の一端側の支軸にあり、押圧用アームの回動支点が押圧部材の他端側の支軸に設けられており、二つの回動支点があるので、以下のような効果がある。
押圧用アームは、第一係合部によって支持され、押圧部材の一端側の支軸から上方へ伸びて配設されているので、収納時或いは使用の際にも邪魔にならず、人が、かがむことなく押圧用アームの先端側を簡単につかむことが可能である。しかも、押圧部材は、基台に対し開いた状態で、基台の受け面が開放されるので、空き容器類を受け面に載置しやすい。
また、人が押圧用アームの先端側を掴んで下方へ押すと、その力が押圧部材の他端側の支軸に作用して押圧部材が回動するので、押圧部材の押圧面を空き容器類に確実に近づけることができる。
さらに、空き容器類が受け面と押圧面の間にかなりの程度密着した状態に潰れても、押圧用アームを押圧部材の他端側の支軸を中心に戻す方向に回動できる。したがって、横方向に延びる押圧用アームを下方位置から持ち上げるのではなく、ある程度上方へ持ち上がった状態の押圧用アームを、押圧部材の一端側の支軸を中心に回動させることができるので、押圧面を受け面から分離するための力をかけやすくなる。したがって、人は圧潰された空き容器類を簡単に取り出すことができる。
【図面の簡単な説明】
【００１７】
【図１】本発明の実施形態に係る空き容器類の処理装置を示す斜視図である。
【図２】図１の空き容器類の処理装置の概略的な側面図である。
【図３】図２から続く動作を示す側面図である。
【図４】図３から続く動作を示す側面図である。
【図５】図４から続く動作を示す側面図である。
【図６】図５から続く動作を示す側面図である。
【図７】本発明の実施形態に係る空き容器類の処理装置の他の例を示す斜視図である。
【発明を実施するための形態】
【００１８】
以下、本発明の実施形態に係る空き容器類の処理装置について図面を参照して説明する。
本実施形態の空き容器類の処理装置１は、ほぼ矩形状の基台１０と、前記基台１０の一端側（以下、「後端側」という）に支軸１３を介して前記基台１０の方向に向けて回動可能でほぼ矩形状の押圧部材２０と、押圧部材２０を基台１０の方向に向けて回動させるべく前記押圧部材２０に連結した押圧用アーム３０と、を備えて構成されている。
【００１９】
基台１０の上面には、押圧部材２０の回動方向と同じ方向に向けて凹凸断面形状をなす受け面１１を形成する受け面形成材１２が設けられている。空き容器類は受け面１１の凹凸断面形状の上に載置するのであるが、例えば円筒形状の空き缶Ｃは、図１に示すように、当該空き缶Ｃの長手方向が押圧部材２０の回動方向に対して直交する方向に載置される。そこで、本実施形態では、図１に示すように空き容器類を載置する方向を「横向き」という。
【００２０】
押圧部材２０の下面には、前記基台１０の受け面１１の凹凸断面形状と雄雌関係となる凹凸断面形状をなす押圧面２１を形成している。すなわち、押圧部材２０の下面には、図１に示すように、押圧部材２０の回動方向と同じ方向に向けて凹凸断面形状をなす押圧面２１が形成されている。
【００２１】
押圧部材２０は、矩形状において対向する二辺をなす両側の側板２３，２３と、この両側の側板２３，２３の間を凹凸断面形状をなす押圧面２１を形成する押圧面形成材２２と、で一体的に構成されている。押圧部材２０の背面には背面板２４を固定している。
【００２２】
また、押圧部材２０の両側の側板２３，２３の後端側（図１及び図２において下側）が基台１０の両側の支持ブラケット１４，１４に支軸１３を介して回転可能に設けられている。押圧部材２０は、図２において時計回り方向の回動動作が図示しないストッパ部材等で制限される構成である。
【００２３】
押圧用アーム３０は、押圧部材２０において支軸１３を設けた一端側（後端側）とは反対側の他端側（以下、「先端側」という）に、押圧部材２０の回動方向と同じ方向に回動可能に支軸２５を介して連結されている。すなわち、押圧用アーム３０は、押圧部材２０の両側の側板２３，２３の先端側（図１及び図２において上側）に回転可能に設けた支軸２５のほぼ真ん中に位置して例えば溶接で連結固定している。
【００２４】
さらに、押圧用アーム３０は、押圧部材２０に対する回動範囲を制限するために、押圧部材２０に係合する第一係合部３１と第二係合部３２を形成している。
【００２５】
第一係合部３１は、押圧用アーム３０の図２において反時計回り方向の回動方向に対して後ろ側に第一補強ブラケット３１ａを介して取り付けた部材である。押圧用アーム３０は、図１及び図２に示すように、押圧部材２０が基台１０に対して開いた状態で、押圧用アーム３０の自重によって押圧部材２０の先端側の支軸２５を中心に図２において時計回り方向に回動する。この回動動作は、第一係合部３１が押圧部材２０の背面の背面板２４に突き当たることで制限される。
【００２６】
一方、第二係合部３２は、図１及び図２に示すように、押圧部材２０の先端側の支軸２５にほぼ全長にわたって例えば溶接で一体的に固定した板状部材である。この第二係合部３２は押圧用アーム３０のほぼ延長上に支軸２５から下向きに突出するように形成している。また、第二係合部３２をなす板状部材は、押圧用アーム３０の図２において反時計回り方向の回動方向に対して前側に設けた第二補強ブラケット３２ａで補強されている。
押圧用アーム３０は、図４に示すように、押圧部材２０の先端側の支軸２５を中心に図２において反時計回り方向に回動すると、この回動動作は、第二係合部３２が押圧部材２０の押圧面形成材２２の先端側に突き当たることで制限される。
【００２７】
また、押圧部材２０の押圧面２１には、空き容器類を穿孔するための突起部２６を図２において斜め下向きに突出するように形成している。一方、基台１０の受け面１１には、図１に示すように前記突起部２６が嵌入するための突起部用孔部１５を形成している。すなわち、押圧部材２０が図４において反時計回り方向に回動して、図６に示すように押圧面２１が基台１０の受け面１１に接近する時、前記突起部２６が突起部用孔部１５へ嵌入する。
【００２８】
次に、本実施形態に係る空き容器類の処理装置１の作用について図面を参照して説明する。
空き容器類の処理装置１は、図１及び図２に示すように、押圧部材２０が基台１０の受け面１１から離反してほぼ左斜め上方に向けて立っている状態である。この時、押圧用アーム３０は、その自重によって押圧部材２０の先端側の支軸２５を中心に図２において時計回り方向に回動しており、第一係合部３１が押圧部材２０の背面の背面板２４に突き当たることで、時計回り方向の回動動作が制限されている。
押圧用アーム３０は、図２においてほぼ右斜め上方へ伸びているので、邪魔にならず、また人がかがむことなく押圧用アーム３０の先端側を掴みやすく、操作性が良いものである。
【００２９】
上記の理由で、押圧部材２０も、前述の押圧用アーム３０の自重によって、基台１０の後端側の支軸１３を中心に図２において時計回り方向に回動し、その回動動作が図示しないストッパ等で制限され、基台１０の受け面１１が開放された状態となる。
【００３０】
人が、圧潰する空き容器類として円筒状の空き缶Ｃを、基台１０の受け面１１の凹凸断面形状の上に載置する。人が押圧用アーム３０の先端側を掴んで下方へ押すと、その力が押圧部材２０の先端側の支軸２５を押す作用点となる。そのため、押圧部材２０がその自重も加わって容易に図３において反時計回り方向へ回動し、押圧部材２０の押圧面２１の一部が空き缶Ｃに当たる。押圧部材２０の押圧面２１が空き缶Ｃに当たると、押圧部材２０の回動がほぼ止まり、押圧用アーム３０が引き続き、押圧部材２０の先端側の支軸２５を中心に図４において反時計回り方向に回動する。
【００３１】
押圧用アーム３０は、図４の二点鎖線から実線へ回動すると、第二係合部３２が押圧部材２０の押圧面形成材２２の先端側に突き当たることで、押圧用アーム３０の回動動作が制限される。この時、押圧用アーム３０が押圧部材２０の押圧面２１のほぼ延長方向になる。
【００３２】
人が、引き続き押圧用アーム３０を回動させると、押圧部材２０も押圧用アーム３０と一体的になって基台１０の後端側の支軸１３を中心に図５において反時計回り方向に回動する。空き缶Ｃは図５の二点鎖線で示すように突起部２６で穿孔され、押圧面２１と受け面１１との間で圧潰される。
【００３３】
人が、引き続き押圧用アーム３０を回動させると、本実施形態では、押圧用アーム３０が図６においてほぼ横方向になった時点で、空き缶Ｃは押圧面２１と受け面１１との雄雌関係にある凹凸断面形状で圧潰される。突起部２６は突起部用孔部１５へ嵌入する。この時、空き缶Ｃは、例えば殆ど隙間がないほどに減容され、十分に圧潰される。
【００３４】
以上のことから、空き容器類の処理装置１は、処理される空き容器類を、基台１０の凹凸断面形状をなす受け面１１と、この受け面１１と雄雌関係にある押圧部材２０の凹凸断面形状をなす押圧面２１とで圧潰するので、空き容器類を例えば殆ど隙間がないほどに減容して十分に圧潰することができる。空き容器類を圧潰する際の減容度合いを著しく向上することができる。
【００３５】
また、押圧部材２０の回動支点が押圧部材２０の後端側の支軸１３にあり、押圧用アーム３０の回動支点が押圧部材２０の先端側の支軸２５に設けられており、二つの回動支点があるので、以下のような効果がある。
その際、（Ａ）押圧用アーム３０を押圧部材２０の延長上に一体的に連結固定し、押圧部材２０の後端側の回動支点だけの場合と、（Ｂ）上記のように二つの回動支点がある場合とを、比較して説明する。
【００３６】
（Ａ）の場合
押圧用アーム３０と押圧部材２０が全体的に長くなるために邪魔になる。しかも、人が押圧用アーム３０の先端側を掴んで回動させるので、大きく回動し、押圧用アーム３０を掴んだ手の移動距離が長くなる。
また、空き容器類が基台１０の受け面１１と、雄雌関係にある押圧部材２０の押圧面２１とで圧潰されると、空き容器類が受け面１１と押圧面２１の間にかなりの程度密着した状態になる。この状態で、押圧用アーム３０を逆方向に回動して押圧面２１を受け面１１から分離するには大きな力を必要とし、簡単に分離することが難しい。
【００３７】
（Ｂ）の場合
押圧用アーム３０が第一係合部３１によって支持されて押圧部材２０の先端側の支軸２５から上方へ伸びているので、邪魔にならず、人がかがむことなく押圧用アーム３０の先端側を簡単につかみやすい。しかも、押圧部材２０が基台１０に対して開いた状態で、基台１０の受け面１１が開放されるので、空き容器類を受け面１１に載置しやい。
また、人が押圧用アーム３０の先端側を掴んで下方へ押すと、その力が押圧部材２０の先端側の支軸２５に作用して押圧部材２０が回動するので、移動距離が短くなる。その結果、押圧部材２０の押圧面２１を空き容器類に速く近づけることができる。
さらに、空き容器類が受け面１１と押圧面２１の間にかなりの程度密着した状態に圧潰されても、押圧用アーム３０を押圧部材２０の先端側の支軸２５を中心に戻す方向の図６において時計回り方向に回動できる。したがって、（Ａ）の場合のように横方向に延びた押圧用アーム３０を下から持ち上げるように回動するのではなく、（Ｂ）では上方へ持ち上がった押圧用アーム３０を掴んで、押圧部材２０を後端側の支軸１３を中心に図６において時計回り方向に回動するので、押圧面２１を受け面１１から分離するための力をかけやすくなる。したがって、圧潰された空き容器類は受け面１１から簡単に取り出すことができる。
【００３８】
なお、本発明の実施形態では、基台１０の受け面１１および押圧部材２０の押圧面２１ａが、図１に示すように、空き容器類を「横向き」に載置するように凹凸断面形状を形成しているが、これに限定されない。
例えば図７に示すように、基台１０の受け面１１ａおよび押圧部材２０の押圧面２１ａが、押圧部材２０の回動方向に対して直交する方向に向けて凹凸断面形状をなすように形成することができる。換言すれば、基台１０の受け面１１ａおよび押圧部材２０の押圧面２１ａが、空き容器類を「縦向き」に載置するように凹凸断面形状を形成することができる。
【００３９】
空き容器類が「縦向き」の場合、大きな容器類を基台１０の受け面１１ａに載置することができる。その際、大きな圧力が必要であるが、本発明の空き容器類の処理装置１は、長い押圧用アーム３０の梃子力によって押圧部材２０の押圧面２１ａを基台１０の受け面１１ａに対して強力な押圧力をかけることができる。
その他の作用、効果は、前述の図１の場合とほぼ同様である。
【産業上の利用可能性】
【００４０】
本発明は、飲料水やジュース等の飲料用缶、ペットボトル、スプレー缶などの容器類を扱う、飲料水や調味料などの製造、販売業、自動販売機に関わるコンビニ、スーパーマーケット、デパート等の販売業、産業廃棄物処理関連の業務、あるいは上記の容器類もしくは空き容器類に関わる他の業務などにおいて、利用可能性を有する。
【符号の説明】
【００４１】
１  空き容器類の処理装置
１０  基台                      １１，１１ａ  受け面
１２  受け面形成材              １３  支軸
１４  支持ブラケット            １５  突起部用孔部
２０  押圧部材                  ２１，２１ａ  押圧面
２２  押圧面形成材              ２３  側板
２４  背面板                    ２５  支軸
２６  突起部
３０  押圧用アーム
３１  第一係合部                ３１ａ  第一補強ブラケット
３２  第二係合部                ３２ａ  第二補強ブラケット
Ｃ  容器
【図１】
2017164761.tif 000003
【図２】
2017164761.tif 000004
【図３】
2017164761.tif 000005
【図４】
2017164761.tif 000006
【図５】
2017164761.tif 000007
【図６】
2017164761.tif 000008
【図７】
2017164761.tif 000009